(57)【要約】【課題】利用者の肌の状態に最適な美容関連商品およびサービスを紹介すると共に、この商品およびサービスを提供する最寄りの店舗を紹介する。【解決手段】美容関連商品およびサービス購入または予約システム１は、肌情報を取得し、位置情報を取得し、肌情報および位置情報を送信すると共に、肌情報に応じた商品およびサービスに関する情報であって、位置情報に応じた店舗が提供する商品およびサービスに関する情報を受信し、受信した商品およびサービスに関する情報に基づいて当該商品およびサービスを購入または予約する画面を表示する携帯端末１００と、美容関連商品およびサービスに関する情報ならびに当該商品およびサービスを提供する店舗情報を格納し、携帯端末１００から肌情報および位置情報を受信し、肌情報に応じた商品およびサービスに関する情報であって、位置情報に応じた店舗が提供する商品およびサービスに関する情報を抽出し、当該情報を携帯端末１００へ返信する情報提供サーバ２００と、を具える。【選択図】図１
2012088847.tif 000002
【特許請求の範囲】
【請求項１】
美容関連商品およびサービスを購入または予約するためのシステムにおいて、
携帯端末であって、
肌情報を取得する肌測定部と、
位置情報を取得する位置情報取得部と、
前記肌情報および前記位置情報を送信すると共に、前記肌情報に応じた商品およびサービスに関する情報であって、前記位置情報に応じた店舗が提供する商品およびサービスに関する情報を受信する第１通信部と、
前記受信した商品およびサービスに関する情報に基づいて当該商品およびサービスを購入または予約する画面を表示する表示部と、を有する携帯端末と、
情報提供サーバであって、
美容関連商品およびサービスに関する情報ならびに当該商品およびサービスを提供する店舗情報を格納する第２記憶部と、
前記第１通信部から前記肌情報および前記位置情報を受信する第２通信部と、
前記肌情報に応じた商品およびサービスに関する情報であって、前記位置情報に応じた店舗が提供する商品およびサービスに関する情報を前記第２記憶部から抽出し、当該情報を前記第２通信部を介して前記携帯端末へ返信させる第２制御部と、を有する情報提供サーバと、を具えることを特徴とするシステム。
【請求項２】
請求項１に記載のシステムにおいて、前記携帯端末の位置情報取得部がＧＰＳ受信機または任意の位置情報を入力または選択するための手段であることを特徴とするシステム。
【請求項３】
請求項１または２に記載のシステムにおいて、前記携帯端末が複数の商品およびサービスに関する情報を受信した場合には、前記肌情報に応じた商品およびサービスの適合度、前記位置情報に応じた店舗までの距離、または商品およびサービスの属性情報に基づいて当該情報をソートし、前記表示部に表示することを特徴とするシステム。
【請求項４】
請求項１乃至３に記載のシステムにおいて、前記携帯端末がさらに、前記購入した商品およびサービスまたは店舗の評価情報を入力する手段を具え、当該評価情報は前記情報提供サーバへ送信されて前記第２記憶部に蓄積されると共に、前記情報提供サーバが前記商品およびサービスに関する情報を前記携帯端末へ返信する際に、前記評価情報も前記携帯端末へ返信することを特徴とするシステム。
【請求項５】
請求項１乃至４に記載のシステムにおいて、前記携帯端末がさらに第１記憶部を具え、前記携帯端末の第１記憶部または前記情報提供サーバの第２記憶部は、前記抽出した店舗または商品およびサービスを購入もしくは予約した店舗をお気に入り店舗として登録することを特徴とするシステム。
【請求項６】
請求項５に記載のシステムにおいて、前記情報提供サーバが前記お気に入り店舗の広告情報を前記携帯端末へ配信し、前記携帯端末の表示部が前記広告情報に応じた商品およびサービスを購入または予約する画面を表示することを特徴とするシステム。
【請求項７】
請求項１乃至６に記載のシステムにおいて、前記情報提供サーバが前記肌情報に応じた商品およびサービスに関する情報を複数抽出した場合には、前記携帯端末または前記情報提供サーバは前記肌情報に応じた商品およびサービスを組み合わせたプランを提供することを特徴とするシステム。
【請求項８】
美容関連商品およびサービスを購入または予約するための携帯端末において、
肌情報を取得する肌測定部と、
位置情報を取得する位置情報取得部と、
前記肌情報および前記位置情報を送信すると共に、前記肌情報に応じた商品およびサービスに関する情報であって、前記位置情報に応じた店舗が提供する商品およびサービスに関する情報を受信する第１通信部と、
前記受信した商品およびサービスに関する情報に基づいて当該商品およびサービスを購入または予約する画面を表示する表示部と、を具えることを特徴とする携帯端末。
【発明の詳細な説明】
【技術分野】
【０００１】
本発明は、美容関連商品およびサービスを購入または予約するためのシステムおよび携帯端末に関し、特に利用者の肌の状態に最適な美容関連の商品およびサービスを紹介すると共に、この商品およびサービスを提供する最寄りの店舗を紹介することが可能なシステムおよび携帯端末に関する。
【背景技術】
【０００２】
肌年齢を検査するための測定器は従来から存在しているが、これは通信機能も、決済機能も、位置測定機能も搭載されていないため、単なる計測器に留まっていた。一方、化粧品のネット販売は、自分で肌の状態を考えて、自分で肌の状態を入力して、それにあった化粧品を検索し、購入するといった流れであった。したがって、たとえ肌年齢計測器で肌の状態を知ったとしても、その状態に最適な美容関連の商品（化粧品など）やサービス（エステなど）を利用者自身が探さなければならなかった。近年では多くのネット販売サイトが存在すると共に、多種多量の商品が存在しているため、利用者はどの商品やサービスを選択して購入を行えばよいのか分からない、目的の商品やサービスが探せないという問題があった。
【０００３】
特許文献１では、肌情報読取装置を備える情報装置を用いてユーザの肌の状態を測定し、得られた肌情報データをデータサーバに送信し、データサーバに記録された肌情報データを分析装置により分析してユーザの肌にぴったり合う商品を選び出し、分析結果をユーザに電子メールで送信するシステムが開示されている。特許文献２では、情報端末または携帯端末において肌に合った化粧品を知りたいというサービスを選択した場合に、センサで肌の生体情報を測定し、選択結果と肌の生体情報データとをサーバ装置に送信し、サーバ装置は肌に合った化粧品を検索し、商品名データが端末に送信されるシステムが開示されている。特許文献３では、移動端末の位置をＰＯＳデータサーバに送信し、ＰＯＳデータサーバは移動端末の所在地周辺にある店舗であって、ユーザの望む商品の在庫がある店舗の情報を移動端末に送信するシステムが開示されている。
【０００４】
特許文献４では、センサで測った肌の生理情報を端末からサーバコンピュータへ送信すると共に、適切な化粧法の指示を要求すると、本人の肌の特性や嗜好に基づいた最適な化粧品、化粧方法が顧客の端末に返信され表示されるシステムが開示されている。特許文献５では、ユーザＤＢに登録されたユーザ位置情報と店舗ＤＢに登録された店舗位置情報とに基づいて、ユーザ位置から予め設定された範囲内に位置する登録店舗を検索するシステムが開示されている。特許文献６では、ユーザの端末１０に接続された肌状態測定装置によって肌状態を測定し、肌状態の測定データをサーバへ送信し、肌状態の測定データを平均し、平均肌状態データに基づいてユーザに適合する化粧品を選定するシステムが開示されている。
【先行技術文献】
【特許文献】
【０００５】
【特許文献１】特開２００２−２６９２１１号公報
【特許文献２】特開２００２−２８８５３６号公報
【特許文献３】特開２００２−３５２３３４号公報
【特許文献４】特開２００２−３５８３５３号公報
【特許文献５】特開２００６−１６３６３９号公報
【特許文献６】特開２００６−２８５４５１号公報
【発明の概要】
【発明が解決しようとする課題】
【０００６】
しかしながら、特許文献１，２，４および６に記載のシステムでは、利用者の肌の状態に最適な化粧品を知ることができるものの、依然として膨大な量の化粧品が抽出され、どの商品を購入すればよいか分からないという問題があった。また、かかるシステムは最適な化粧品や化粧方法を知ることができるが、利用者の肌の状態に最適なエステ、ヘアサロン、マッサージ等の美容関連のサービスまで知ることはできなかった。一方、特許文献３および５に記載のシステムでは、所望の商品がある最寄りの店舗を知ることはできるが、利用者の肌の状態に最適な美容関連商品およびサービスを提供する店舗を知り、この商品およびサービスを購入（決済）または予約することはできなかった。
【０００７】
このような背景を鑑み、本発明は、利用者の肌の状態に最適な美容関連商品およびサービスを紹介すると共に、この商品およびサービスを提供する最寄りの店舗を紹介することが可能なシステムおよび携帯端末を提供することを目的とする。
【課題を解決するための手段】
【０００８】
本発明は、美容関連商品およびサービスを購入または予約するためのシステムにおいて、携帯端末であって、肌情報を取得する肌測定部と、位置情報を取得する位置情報取得部と、前記肌情報および前記位置情報を送信すると共に、前記肌情報に応じた商品およびサービスに関する情報であって、前記位置情報に応じた店舗が提供する商品およびサービスに関する情報を受信する第１通信部と、前記受信した商品およびサービスに関する情報に基づいて当該商品およびサービスを購入または予約する画面を表示する表示部と、を有する携帯端末と、情報提供サーバであって、美容関連商品およびサービスに関する情報ならびに当該商品およびサービスを提供する店舗情報を格納する第２記憶部と、前記第１通信部から前記肌情報および前記位置情報を受信する第２通信部と、前記肌情報に応じた商品およびサービスに関する情報であって、前記位置情報に応じた店舗が提供する商品およびサービスに関する情報を前記第２記憶部から抽出し、当該情報を前記第２通信部を介して前記携帯端末へ返信させる第２制御部と、を有する情報提供サーバと、を具えることを特徴とするシステムである。
【０００９】
本発明の一実施例では、前記携帯端末の位置情報取得部がＧＰＳ受信機または任意の位置情報を入力または選択するための手段であることを特徴とする。
【００１０】
また本発明の一実施例では、前記携帯端末が複数の商品およびサービスに関する情報を受信した場合には、前記肌情報に応じた商品およびサービスの適合度、前記位置情報に応じた店舗までの距離、または商品およびサービスの属性情報に基づいて当該情報をソートし、前記表示部に表示することを特徴とする。
【００１１】
さらに本発明の一実施例では、前記携帯端末がさらに、前記購入した商品およびサービスまたは店舗の評価情報を入力する手段を具え、当該評価情報は前記情報提供サーバへ送信されて前記第２記憶部に蓄積されると共に、前記情報提供サーバが前記商品およびサービスに関する情報を前記携帯端末へ返信する際に、前記評価情報も前記携帯端末へ返信することを特徴とする。
【００１２】
また本発明の一実施例では、前記携帯端末がさらに第１記憶部を具え、前記携帯端末の第１記憶部または前記情報提供サーバの第２記憶部は、前記抽出した店舗または商品およびサービスを購入もしくは予約した店舗をお気に入り店舗として登録することを特徴とする。
【００１３】
さらに本発明の一実施例では、前記情報提供サーバが前記お気に入り店舗の広告情報を前記携帯端末へ配信し、前記携帯端末の表示部が前記広告情報に応じた商品およびサービスを購入または予約する画面を表示することを特徴とする。
【００１４】
また本発明の一実施例では、前記情報提供サーバが前記肌情報に応じた商品およびサービスに関する情報を複数抽出した場合には、前記携帯端末または前記情報提供サーバは前記肌情報に応じた商品およびサービスを組み合わせたプランを提供することを特徴とする。
【００１５】
また本発明は、美容関連商品およびサービスを購入または予約するための携帯端末において、肌情報を取得する肌測定部と、位置情報を取得する位置情報取得部と、前記肌情報および前記位置情報を送信すると共に、前記肌情報に応じた商品およびサービスに関する情報であって、前記位置情報に応じた店舗が提供する商品およびサービスに関する情報を受信する第１通信部と、前記受信した商品およびサービスに関する情報に基づいて当該商品およびサービスを購入または予約する画面を表示する表示部と、を具えることを特徴とする携帯端末である。
【発明の効果】
【００１６】
本発明によれば、利用者の肌の状態に最適な美容関連商品およびサービスを紹介すると共に、この商品およびサービスを提供する最寄りの店舗を紹介することが可能である。これにより、本発明の利用者は膨大な量の商品およびサービスの中から利用者にとって必要性の高い情報を知ることができると共に、特に利用者の肌の状態に最適なエステ、ヘアサロン、マッサージ等の美容関連サービスも知ることが可能であり、商品およびサービスの選択肢を増やしつつも、利用者の要望に適合した情報のみを知ることができる。
【００１７】
また、ＧＰＳ受信機によって位置情報を取得することにより、携帯端末の現在位置周辺の店舗を紹介することができる一方で、任意の位置情報を入力または選択するための手段によって利用者が知りたい場所の位置情報を取得することにより、携帯端末の現在位置とは異なる位置周辺の店舗を紹介することも可能である。さらに、複数の商品およびサービスに関する情報が所定の情報に基づいてソートされることにより、店舗や商品およびサービスを選択する利用者の利便性が向上する。その上、商品およびサービスまたは店舗の評価情報が存在することにより、利用者は、多種多様な商品およびサービスまたは店舗の中から評価情報に基づいて優良な商品およびサービスまたは店舗を容易に選択することが可能である。
【００１８】
また、抽出された店舗または商品およびサービスを購入もしくは予約した店舗は、お気に入り店舗として登録可能であるため、次回以降では、お気に入り店舗が提供する商品およびサービスの中から利用者の肌の状態に最適な商品およびサービスを抽出することができる。このため利用者は最適な商品およびサービスを素早く選択することができる。さらにお気に入り店舗が登録されている場合には、店舗側から利用者へ利用者が望む広告情報を配信することができる一方で、利用者はこの広告情報を用いてお得な商品およびサービスを購入もしくは予約することが可能である。また、利用者の肌の状態に応じた商品およびサービスを組み合わせたプランを提供することにより、利用者は容易かつ効率よく肌状態を維持または改善することができる。
【図面の簡単な説明】
【００１９】
【図１】図１は、本発明の一実施例である美容関連商品およびサービス購入システムの構成図を示す。
【図２】図２は、本発明の一実施例である携帯端末の構成図を示す。
【図３】図３は、本発明の一実施例である情報提供サーバの構成図を示す。
【図４】図４は、携帯端末に表示される画面遷移図を示す。
【図５】図５は、本発明の一実施例である美容関連商品およびサービス購入システムのフローチャートを示す。
【発明を実施するための形態】
【００２０】
本発明を実施するための最良の形態について、添付図面を参照しながら以下に詳細に説明する。
【００２１】
図１は本発明の一実施例である美容関連商品およびサービス購入システムの構成図を示している。本発明に係る美容関連商品とは、スキンケア商品（クレンジング、洗顔剤、化粧水、乳液、オイル、美容液、パック、シェービングフォーム、美顔器など）、ボディケア商品（ボディソープ、クリーム、ジェル、美容液、紫外線ブロック、入浴剤、小物など）、ヘアケア商品（シャンプー、コンディショナー、トリートメント、育毛養毛剤、整髪料、小物など）、メーク商品（ベース、コンシーラ、ファンデーション、口紅、アイシャドウ、マスカラなど）、フレグランス（香水など）、健康食品などのことを指す（以下、単に「商品」という）。また本発明に係る美容関連サービスとは、ヘアサロン、エステ、マッサージなどのことを指す（以下、単に「サービス」という）。
【００２２】
この購入システム１は携帯端末１００と、情報提供サーバ２００とを具えており、これらは通信ネットワーク３００を介して通信可能である。携帯端末１００は携帯型の情報処理装置であって、プログラム制御により動作する。携帯端末１００の一実施例としては、ＰＤＡ（Personal Data Assistance）、携帯電話、ＰＨＳ（Personal Handy-phone System）等を挙げることができる。図２は本発明の一実施例である携帯端末の構成図を示している。携帯端末１００は携帯電話であり、第１通信部１０１と、放送受信部１０２と、カメラ部１０３と、送話部（マイク１０５）と、受話部（スピーカ１０６）と、音声処理部１０４と、表示部１０７と、操作部１０８と、肌測定部１０９と、位置情報取得部１１０、第１記憶部１１１と、第１制御部１１２とを具えており、各部がバスで接続されている。
【００２３】
第１通信部１０１は、アンテナ１１３を介して図示しない無線基地局装置との間で無線により情報の送受信を行い、後述する情報提供サーバ２００の第２通信部２０３と通信可能である。放送受信部１０２は、放送局（地上局、衛星など）から送信された放送信号をアンテナ１１４を介して受信し、受信した信号を復調して映像データ、音声データ、情報データ等の信号処理を行う。カメラ部１０３は、撮像光学系により画像情報を取得（撮影）する。音声処理部１０４は、送話部（マイク１０５）および受話部（スピーカ１０６）を介して入出力された音声の信号処理を行う。表示部１０７は、画像、図形、文字、記号などの情報の表示出力（映像信号処理）を行う。操作部１０８は、テンキー、方向キー／決定キー、ファンクションキー等から構成され、携帯端末１００に対する利用者の各種情報入力を行う。
【００２４】
肌測定部１０９は、公知の肌測定手段であり、利用者の頭皮、顔面、および手足や体幹部の肌の水分量、油分量、肌の柔らかさ、肌の張り、毛穴の汚れ、吹き出物、およびその他のトラブル情報等の肌情報を取得する。位置情報取得部１１０は、ＧＰＳ受信機であり、図示しない複数のＧＰＳ衛星から発射された電波が携帯端末１００に到達するまでの時間を測定し、これらの時間差からＧＰＳ衛星と携帯端末１００との距離を求め、この距離を利用して携帯端末１００の位置座標を取得する。あるいは位置情報取得部１１０は、地名、駅名、建物名、または住所等の位置情報を入力または選択する画面を表示部１０７に表示する手段であり、この画面上で操作部１０８を用いて利用者によって入力または選択された地名または駅名等を取得する。
【００２５】
第１記憶部１１１は、ＯＳ（Operating System）、アプリケーションプログラム（本発明に係るプログラムを含む）、携帯端末１００の設定情報、利用者の肌情報、位置情報（携帯端末１００の位置座標もしくは任意に入力または選択された地名や駅名等、およびこれらの位置からの探索範囲など）、情報提供サーバ２００のアドレス情報（ＵＲＬなど）、送受信メール情報、発着呼情報、コンテンツ情報、および撮影画像等を格納する。第１制御部１１２は、肌情報および位置情報に応じた商品およびサービスの購入または予約機能、電話機能、メール機能、インターネット接続機能、カメラ機能、テレビ受信機能、コンテンツ再生機能、その他端末の有する機能、および各部の制御を行う。これらの機能は第１記憶部１１１に格納されたＯＳやアプリケーションプログラム（本発明に係る商品およびサービス購入プログラムを含む）を第１制御部１１２が実行することによって実現される。
【００２６】
情報提供サーバ２００は周知の情報処理装置であり、プログラム制御により動作する。情報提供サーバ２００の一実施例としては、ワークステーション、パーソナルコンピュータ（ＰＣ）等を挙げることができる。図３は本発明の一実施例である情報提供サーバの構成図を示している。情報提供サーバ２００は、表示部２０１と、操作部２０２と、第２通信部２０３と、第２記憶部２０４と、第２制御部２０５とを具え、各部がバスで接続されている。表示部２０１は、液晶モニタ等から構成され、画像、図形、文字、記号などの情報の表示出力を行う。操作部２０２は、マウス等のポインティングデバイスおよびキーボード等から構成され、情報提供サーバ２００に対する利用者の各種情報入力を行う。第２通信部２０３は、イーサネット（登録商標）等のネットワークアダプタ等から構成され、ＬＡＮ（Local Area Network）およびＷＡＮ（Wide Area Network）を介して情報の送受信を行う。
【００２７】
第２記憶部２０４は、ＯＳ（Operating System）、アプリケーションプログラム、情報提供サーバ２００の設定情報、携帯端末１００から受信した肌情報と位置情報、商品およびサービスに関する情報、店舗情報等を格納する。ここで、商品に関する情報には、メーカ名、商品名、価格、評価情報（評価点数、口コミ等）などの他、この商品によって維持または改善される効果や効能（保湿効果、紫外線予防効果など）を含み、サービスに関する情報には、店舗名、サービス名、価格、評価情報などの他、このサービスによって維持または改善される効果や効能を含む。また、店舗情報には、店舗名、営業時間、電話番号、アクセス方法などの他、店舗の位置情報（位置座標、地名、最寄り駅名、住所、郵便番号など）を含む。第２制御部２０５は、携帯端末１００から受信した肌情報と位置情報に基づいて第２記憶部２０４から最適な商品およびサービスを抽出する抽出機能、その他情報提供サーバ２００が有する機能、および各部の制御を行う。
【００２８】
本発明に係る携帯端末１００は、肌測定部１０９で測定した肌情報を情報提供サーバ２００へ送信し、利用者の肌の状態に最適な商品およびサービスに関する情報を情報提供サーバ２００から受信して表示部１０７に表示し、この商品およびサービスを購入（決済）するための制御を行う。また、位置情報取得部１１０が位置情報を取得した場合には、携帯端末１００はこの位置情報も情報提供サーバ２００へ送信し、利用者の肌の状態に最適な商品およびサービスに関する情報であって、この位置から探索範囲内にある最寄りの店舗（コスメ店、ドラッグストア、百貨店、ヘアサロン、エステ店、マッサージ店など）が提供する商品およびサービスに関する情報を情報提供サーバ２００から受信して表示部１０７に表示し、この商品およびサービスを予約するための制御を行う。また携帯端末１００は、複数の商品およびサービスに関する情報を受信した場合には、肌情報に応じた商品およびサービスの適合度や、商品およびサービスの属性情報（メーカ名、店舗名、価格、評価情報など）や、または店舗までの距離等に基づいて当該情報をソートすることができる。
【００２９】
一方、本発明に係る情報提供サーバ２００は、携帯端末１００から受信した肌情報に応じて利用者の肌の状態に最適な商品およびサービスに関する情報を第２記憶部２０４から抽出し、この情報を携帯端末１００へ返信する制御を行う。また、携帯端末１００から位置情報を受信した場合には、利用者の肌の状態に最適な商品およびサービスに関する情報であって、この位置から探索範囲内にある最寄りの店舗が提供する商品およびサービスに関する情報を第２記憶部２０４から抽出し、この情報を携帯端末１００へ返信する制御を行う。
【００３０】
更なる実施例として、携帯端末１００がさらに、購入した商品およびサービスまたは店舗の評価情報（評価点、口コミなど）を入力する手段を具えていてもよい。この評価情報は情報提供サーバ２００へ送信されて第２記憶部２０４に格納される。そして次回以降に情報提供サーバ２００が利用者の肌の状態に最適な商品およびサービスに関する情報であって、最寄りの店舗が提供する商品およびサービスに関する情報を携帯端末１００へ返信する際に、評価情報も携帯端末１００へ返信する。これにより、利用者は多種多様な商品およびサービスまたは店舗の中から当該評価情報に基づいて優良な商品およびサービスまたは店舗を容易に選択することができる。
【００３１】
また別の実施例として、携帯端末１００の第１記憶部１１１または情報提供サーバ２００の第２記憶部２０４がさらに、抽出された店舗、または商品およびサービスを購入もしくは予約した店舗をお気に入り店舗として格納してもよい。これにより次回以降では、情報提供サーバ２００がお気に入り店舗の商品およびサービスの中から利用者の肌の状態に最適な商品およびサービスを抽出することができる。このため利用者は最適な商品およびサービスを素早く選択して購入および予約することができる。
【００３２】
この場合において、情報提供サーバ２００がお気に入り店舗の広告情報（おすすめ商品、新商品、クーポンなどに関する情報）を携帯端末１００へ配信し、携帯端末１００がこの広告情報に応じた商品およびサービスを購入または予約する画面を表示してもよい。これにより、店舗側から利用者へ利用者の望む広告情報を配信することができる一方で、利用者はこの広告情報を用いてお得な商品およびサービスを購入または予約したり、クーポンを利用したりすることができる。
【００３３】
さらに別の実施例として、肌情報に応じた商品およびサービスに関する情報が複数抽出された場合には、携帯端末１００または情報提供サーバ２００が利用者の肌の状態に最適な商品およびサービスを組み合わせたプランを提供してもよい。例えば、利用者の肌が水分と張りが足りない場合には、利用者が知りたい位置周辺のドラッグストアが提供する化粧水を１日２回使用し、利用者が知りたい位置周辺のエステ店が提供する顔面マッサージのサービスを月１回利用するプランを提供することができる。
【００３４】
次に、本発明の一実施例の商品およびサービス購入システムの動作について、図４に示す携帯端末に表示される画面遷移図と、図５に示すフローチャートを参照しながら説明する。
【００３５】
まず利用者は、携帯端末１００の肌測定部１０９により肌情報を取得する（ステップ１）。これは、利用者が自分自身で携帯端末１００の肌測定部１０９を頭皮、顔面、または手足や体幹部の肌に押し付け、肌年齢と肌の状態（水分量、油分量、柔らかさ、張り、およびその他肌情報）を測定することにより行われる。携帯端末１００の表示部１０７には、測定結果である肌年齢と肌の状態を示す画面４００が表示される（ステップ２）。本実施例では、画面４００に示すように、年齢相応の値が１００％とした場合に肌の水分量が３０％、張りが３０％と低い値であるため、利用者の肌は「水分」と「張り」が足りないことが分かる。次いで携帯端末１００の第１通信部１０１は、肌測定部１０９で取得した肌情報を通信ネットワーク３００を介して情報提供サーバ２００へ送信する（ステップ３）。本実施例で情報提供サーバ２００は複数のＷｅｂサーバで構成され、美容関連商品およびサービスに関する情報を提供しているＷｅｂサイトＡ〜Ｄへ肌情報が送信される。
【００３６】
情報提供サーバ２００の第２通信部２０３は肌情報を受信し（ステップ４）、第２制御部２０５が当該肌情報に基づいて利用者の肌の状態の維持もしくは改善に望ましいお勧め商品およびサービスに関する情報を、第２記憶部２０４に格納されている商品およびサービスに関する情報の中から抽出する（ステップ５）。利用者の肌は「水分」と「張り」が足りないため、第２記憶部２０４に格納されている商品およびサービスに関する情報のうち、保湿効果や水分補給能のある商品やサービスが抽出される。本実施例では画面４０１に示すとおり、化粧水の商品ＡとＢおよび乳液の商品Ｃが抽出されている。第２制御部２０５は、第２通信部２０３を介して抽出された商品Ａ，ＢおよびＣに関する情報を携帯端末１００へ返信する（ステップ６）。携帯端末１００の第１通信部１０１はこの情報を受信し（ステップ７）、携帯端末１００の表示部１０７には、利用者の肌の状態に最適な商品Ａ，ＢおよびＣを購入するための画面４０１が表示される（ステップ８）。携帯端末１００の利用者は、画面４０１で所望の商品およびサービスを購入する。
【００３７】
また、携帯端末１００の位置情報取得部１１０は、ＧＰＳ受信機または任意の位置情報を入力または選択するための手段により位置情報（位置座標、地名、駅名、建物名、または住所等）を取得する（ステップ１）。この場合、携帯端末１００の第１通信部１０１が肌情報を情報提供サーバへ送信する際に、当該位置情報も情報提供サーバ２００へ送信する（ステップ３）。情報提供サーバ２００の第２通信部２０３が携帯端末１００から肌情報と共に位置情報を受信したときは（ステップ４）、第２制御部２０５が当該位置情報の近くの店舗が提供する利用者の肌の状態に最適な商品およびサービスに関する情報を、第２記憶部２０４に格納されている商品およびサービスに関する情報の中から抽出する（ステップ５）。本実施例では画面４０２と４０３に示すように、当該位置情報から探索範囲内にあるエステ店Ａの顔面マッサージのサービスと、ドラッグストアＢの化粧水とに関する情報が抽出されているのが分かる。第２制御部２０５は、第２通信部２０３を介して抽出されたエステ店Ａの顔面マッサージのサービスとドラッグストアＢの化粧水に関する情報を携帯端末１００へ返信する（ステップ６）。携帯端末１００の第１通信部１０１はこの情報を受信し（ステップ７）、携帯端末１００の表示部１０７には、最寄りのエステ店Ａの顔面マッサージのサービスおよびドラッグストアＢの化粧水を予約するための画面４０２と４０３が表示される（ステップ８）。携帯端末１００の利用者は、画面４０２と４０３で所望の商品およびサービスを予約し、予約した店舗へ行って当該サービスまたは商品を購入する。
【００３８】
また図示しないが更なる実施例として、携帯端末１００の表示部１０７には、購入した商品およびサービスまたは店舗の評価情報（評価点、口コミなど）を入力する画面を表示することが可能である。携帯端末１００の第１通信部１０１は、当該評価情報を情報提供サーバ２００へ送信し、当該評価情報は情報提供サーバ２００の第２記憶部２０４に格納される。このとき評価点については、それらの平均点が格納される。次回以降のステップ６では、情報提供サーバ２００の第２制御部２０５が第２通信部２０３を介して最適な商品およびサービスに関する情報と共に、当該評価情報も携帯端末１００へ返信する。この評価情報は画面４０１，４０２および４０３上に商品およびサービスまたは店舗毎に表示されるので、利用者は多種多様な商品およびサービスまたは店舗の中から当該評価情報に基づいて優良な商品およびサービスまたは店舗を容易に選択することができる。
【００３９】
さらに図示しないが別の実施例として、携帯端末１００の第１記憶部１１１または情報提供サーバ２００の第２記憶部２０４は、抽出された店舗、または商品およびサービスを購入もしくは予約した店舗をお気に入り店舗として登録することができる。このため、次回以降のステップ５では、情報提供サーバ２００の第２制御部２０５が第２記憶部２０４に格納されているお気に入り店舗の商品およびサービスに関する情報のみから利用者の肌の状態に最適な商品およびサービスを抽出することができる。これにより利用者は最適な商品およびサービスを素早く選択することができる。さらに情報提供サーバ２００の第２記憶部２０４にお気に入り店舗が登録されている場合には、店舗側（情報提供サーバ２００）から携帯端末１００へ利用者が望む広告情報を配信し、携帯端末１００はこの広告情報を用いて商品およびサービスを購入する制御を行うことができる。
【００４０】
また図示しないが別の実施例として、ステップ５で肌情報に応じた商品およびサービスに関する情報が複数抽出された場合には、携帯端末１００の第１制御部１１２または情報提供サーバ２００の第２制御部２０５が利用者の肌の状態に最適な商品およびサービスを組み合わせたプランを提供する。本実施例では、利用者の肌は水分と張りが足りないため、ドラッグストアＢが提供する化粧水を１日２回使用し、エステ店Ａが提供する顔面マッサージのサービスを月１回利用するといったプランを提供することができる。
【００４１】
以上本発明の一実施例を詳細に説明したが、本発明は上記実施例に限定されるものではなく、添付したクレームの趣旨の範囲内において様々な変更、変形を実現することができる。例えば、上記携帯端末１００に限定されず、少なくとも肌測定機能、位置情報取得機能、通信機能、表示機能、および操作機能を具えるＰＣ等の情報端末に適用してもよい。
【産業上の利用可能性】
【００４２】
本発明に係る美容関連商品およびサービス購入システムは、個人の携帯端末の他、コスメ店、ドラッグストア、百貨店、ヘアサロン、エステ店、マッサージ店等の法人が提供するサービスに用いられる携帯端末、およびこれらの携帯端末と通信ネットワークを介して接続され、美容関連商品およびサービスの情報を提供する個人および法人のＷｅｂサーバ等の情報提供サーバに用いることができる。
【符号の説明】
【００４３】
１  美容関連商品およびサービス購入システム
１００  携帯端末
１０１  第１通信部
１０９  肌測定部
１１０  位置情報取得部
１１１  第１記憶部
１１２  第１制御部
２００  情報提供サーバ
２０３  第２通信部
２０４  第２記憶部
２０５  第２制御部
３００  通信ネットワーク
【図１】
2012088847.tif 000003
【図２】
2012088847.tif 000004
【図３】
2012088847.tif 000005
【図４】
2012088847.tif 000006
【図５】
2012088847.tif 000007